(57)【要約】【課題】ごみ焼却プラントの火格子に用いる火格子エレメントを提供する。【解決手段】  ごみ焼却プラントの火格子に用いる火格子エレメント（１）は、移動型又は固設型で、続けて配置されるように複数の火格子ブロックの列を有し、火格子ブロックの各列に複数の火格子ブロック（６７）を配置する。火格子ブロックの移動型の列に設けた第一の数の火格子ブロックを第一火格子キャリッジ（５）に割り当て、火格子ブロックの移動型の列に設けた第二の数の火格子ブロックを第二火格子キャリッジ（３５）に割り当てる。第一の数の火格子ブロックは第二の数の火格子ブロックから独立して移動できるようにする。【選択図】  図９
2007524063.tif 000002
【特許請求の範囲】
【請求項１】
火格子ブロックの固設型又は移動型の列を複数続けて備えて、各々、前記火格子ブロックの固設型の列の一つが前記火格子ブロックの移動型の列の少なくとも一つに続くようにし、前記火格子ブロックの各列に火格子ブロック（６７）を複数配置した、ごみ焼却プラントの火格子に用いる火格子エレメント（１）であって、前記火格子ブロックの移動型の列に設けた第一の数の火格子ブロックを第一火格子キャリッジ（５）に割り当て、かつ、前記火格子ブロックの移動型の列に設けた第二の数の火格子ブロックを第二火格子キャリッジ（３５）に割り当て、前記第一の数の火格子ブロックが前記第二の数の火格子ブロックから独立して移動できるようにしたことを特徴とする火格子エレメント。
【請求項２】
前記火格子ブロックの固設型の列の各々は、前記火格子ブロックの移動型の列に続くことを特徴とする請求項１に記載の火格子エレメント。
【請求項３】
前記第一火格子キャリッジ（５）と前記第二火格子キャリッジ（３５）は、相互作用するガイド用のエレメント（２３、４１）を備えることを特徴とする請求項１又は２に記載の火格子エレメント。
【請求項４】
前記第一火格子キャリッジ（５）と前記第二火格子キャリッジ（３５）は、互いに独立するように駆動装置（２５）を備えることを特徴とする請求項１〜３のいずれかに記載の火格子エレメント。
【請求項５】
前記第一火格子キャリッジ（５）と前記第二火格子キャリッジ（３５）は機械的に結合されて、向い合わせに駆動装置（２５）を有することを特徴とする請求項１〜３のいずれかに記載の火格子エレメント。
【請求項６】
前記第一火格子キャリッジ（５）は二つの駆動装置（２５）を備え、前記第二火格子キャリッジ（３５）は一つの駆動装置（４３）を備えることを特徴とする請求項１〜５のいずれかに記載の火格子エレメント。
【請求項７】
前記第一火格子キャリッジ（５）と前記第二火格子キャリッジ（３５）は、同期して移動することを特徴とする請求項１〜６のいずれかに記載の火格子エレメント。
【請求項８】
前記第一火格子キャリッジ（５）と前記第二火格子キャリッジ（３５）は、逆の周期で移動することを特徴とする請求項１〜６のいずれかに記載の火格子エレメント。
【請求項９】
前記火格子ブロックの同じ列の火格子ブロックのグループは、前記第一火格子キャリッジ（５）と前記第二火格子キャリッジ（３５）に対して交互に割り当てられることを特徴とする請求項１〜８のいずれかに記載の火格子エレメント。
【請求項１０】
搬送方向に並んで設けられた前記移動型の火格子ブロックのうち少なくとも幾つかは、前記第一火格子キャリッジ（５）と前記第二火格子キャリッジ（３５）に対して交互に割り当てられることを特徴とする請求項１〜９のいずれかに記載の火格子エレメント。
【請求項１１】
搬送方向に並んで設けられた前記移動型の火格子ブロックは、同じ火格子キャリッジに割り当てられることを特徴とする請求項１〜９のいずれかに記載の火格子エレメント。
【請求項１２】
前記火格子ブロックは、必要に応じて、対応する火格子キャリッジに機械的に割り当てられることを特徴とする請求項１〜９のいずれかに記載の火格子エレメント
【請求項１３】
前記火格子ブロックのグループは、１から５つの火格子ブロックから形成されることを特徴とする請求項１２に記載の火格子エレメント
【請求項１４】
前記火格子ブロックの固設型の列は、各々、前記火格子ブロックの移動型の列に続くことを特徴とする請求項１〜１３のいずれかに記載の火格子エレメント。
【請求項１５】
前記火格子ブロックの移動型の列の複数は直接連続することを特徴とする請求項１〜１３のいずれかに記載の火格子エレメント。
【請求項１６】
請求項１〜１１のいずれかに記載の火格子エレメント（１）に用いる火格子キャリッジ（５、３５）であって、前記火格子ブロックの移動型の列用のブロック−ホールディング−チューブ部（５３、６１）の複数を支えられるようにクロスメンバ（１１、３９）を備え、前記移動型の火格子ブロックの前記ブロック−ホールディング−チューブ部（５３、６１）は前記火格子キャリッジの幅の一部分にわたってだけ延びることを特徴とする火格子キャリッジ。
【請求項１７】
少なくとも一つの火格子エレメントが請求項１〜１４のいずれかに記載の火格子エレメントであることを特徴とする火格子。
【請求項１８】
全ての火格子エレメントが請求項１〜１５のいずれかに記載の火格子エレメントであることを特徴とする火格子。
【発明の詳細な説明】
【技術分野】
【０００１】
本発明は、火格子（grate）ブロックの複数の列を続けて配置した、ごみ焼却プラントの火格子に用いる火格子エレメントに関する。
【背景技術】
【０００２】
従来、ごみ焼却プラントに用いられる、傾斜した前方供給型の火格子は、火格子ブロックの複数の列を続けて配置させて、火格子ブロックの移動型の列が火格子ブロックの固設型の列に続くように、火格子エレメントを備えていた。また、火格子ブロックの移動型の列は、前後移動可能な手段によって火格子キャリッジに割り当てられていた（特許文献１参照）。そして、ごみを混合し、かき集めることは、搬送方向で行われていた。
【０００３】
また、先行技術では、多くの特許文献において、後方供給型の火格子が開示されているが、例えば、特許文献２及び３を参照されたい。このような後方供給型の火格子は傾斜型の火格子であって、火格子ブロックの固設型と移動型の列を交互に備えている。また、火格子ブロックのうち移動型の列の火格子ブロックによって、焼却されるごみの下層を火格子の開始方向に押して、ごみの上層を火格子の端部方向に押している。このため、ごみは搬送方向に対して逆方向に押し続けられる結果、ごみは火格子の開始側に集められて、重力の作用によって下方に搬送されるが、このことは、部分的に、制御不可能なスリップ作用によって行われていた。
【０００４】
また、当該技術分野における通常の知識を有する者に公知なさらなる火格子システムとして、Ｗ＋Ｅ燃焼火格子を用いて構成されるものがあるが、例えば、非特許文献１を参照されたい。この場合、火格子ブロックの固設型の列と交互に配置された、火格子ブロックの移動型の列の反対方向の移動によって、焼却されるごみは前方に押されるだけでなく、連続してかき集められて、流されている。
【０００５】
また、特許文献４では、前方供給型の火格子と後方供給型の火格子の組合せから構成される水冷型の燃焼火格子について開示しており、双方の火格子に水冷型の火格子プレートを設けて、少なくとも各二番目が移動可能なように構成している。
【０００６】
また、特許文献５及び６では、所謂、ごみ焼却プラント用の縦長の火格子について開示している。縦長の火格子は、横方向、つまり搬送方向に対して横切る方向で、火格子の全長にわたって延びるように複数の移動型と固設型の縦長のトラックを備えた火格子のことである。この場合、縦長のトラックは複数の火格子ブロックを続けて配置している。そして、固設型の縦長のトラックは夫々、移動型の縦長のトラックに続くようにしている。また、上記縦長の火格子は、搬送方向に縦長のトラックの移動を行えるように複数のバーを備えている。この縦長の火格子は、単に搬送用のサブアセンブリであって、ごみを制御不可能なように搬送させるだけである。また、この縦長のトラックの移動は火格子の全長にわたって行われているため、搬送速度と、従って操作状態は、各焼却領域で独立して調整することができなかった。
【０００７】
また、複数の火格子エレメントを用いて搬送方向に階段状の火格子を形成しているが、通常、３から６つの火格子エレメントを連続して配置している。また、階段状の火格子は１から５つの火格子トラックを備えていてもよい。
【０００８】
各火格子エレメントは、搬送方向に階段状に火格子ブロックの複数の列を連続して配置しているが、火格子ブロックの列は固定型か、移動型である。即ち、縦長の火格子とは反対に、火格子ブロックの固設型と移動型の列を備えた階段状の火格子の場合には、縦長のトラックではなく、火格子ブロックの列が夫々移動可能となる。火格子ブロックの列は夫々、複数、例えば、１６から３０の火格子ブロックから構成される。火格子ブロックは、水冷式でもよく、又は空冷式でもよい。また、火格子ブロックはブロック−ホールディングチューブ上に連続して取付けられて、タイロッドを用いて一体にくくられる。各火格子ブロックは、搬送方向から眺めると分るように、後続の火格子ブロックの表面上に載せられるように脚部を有する。前方移動する場合には、上方の火格子ブロックの脚部は火格子ブロックの表面上で搬送方向にこれらの下方に通る。
【特許文献１】スイス国特許第５８５  ３７２号公報
【特許文献２】ドイツ国特許第５２５２２１号公報
【特許文献３】ドイツ国特許第１０９９１１７号公報
【特許文献４】ヨーロッパ特許庁第１  ００１  ２１８号公報
【特許文献５】米国特許第４，１７０，１８３号公報
【特許文献６】フランス国特許第２  ２６５  ０４１号公報
【非特許文献１】エム．クンツリー著、「ごみ焼却用の火格子炉（grate furnaces forwaste incinerational）」、ディーテル  オー．リーマン（編）、ベルリン：エネルギーと環境技術のためのＥＦ−出版物、１９９１年、頁１−１７
【発明の開示】
【発明が解決しようとする課題】
【０００９】
本発明は、以上の点に鑑みてなされたものであり、ごみを集中しかつ連続して混合させるとともに、制御可能なように搬送させる火格子エレメントを提供することを目的とするものである。
【課題を解決するための手段】
【００１０】
上記目的を達成するために、本発明は、本明細書に添付した特許請求の範囲に記載の請求項１の特徴部のように火格子エレメントを構成する。本発明に関するさらなる特徴は、他の従属請求項や、後述する明細書の記載のように構成されるものとする。
【００１１】
本発明では、火格子ブロックの移動型の列のうち第一の数の火格子ブロックを第一火格子キャリッジに割り当てるとともに、第二の数の火格子ブロックを第二火格子キャリッジに割り当てて、本発明に係る火格子エレメントが二つの火格子キャリッジを備えるようにする。一つの列の火格子ブロック又は火格子ブロックを二つの異なる火格子キャリッジに区別することで、第一の数の火格子ブロックの移動可能性を第二の数の火格子ブロックの移動可能性から独立させる。この結果、火格子ブロックの幾つかを後方に移動させながら、火格子ブロックの残りを前方に移動させることが可能になる。この火格子ブロックの独立した移動可能性により、さらなる側方での混合が可能になる。従って、ごみのピークとトラフは火格子上で形成されて、交互に前後移動される。この結果、ごみは側方と搬送方向の双方で混合されて、かき集められる。このようにごみを極めて良好に混合し、搬送させることにより、デフラグレーションの発生はより少なくなるため、焼却シーケンスの制御をより良好にすることができる。さらに、ごみは連続して流動されることにより短時間の間だけ同じ場所にとどまることになるので、火格子ブロックに加えられる熱の負荷をより小さく抑えることができる。従って、本発明に係る火格子エレメントは、機能が悪化する可能性をより低く抑えて、より耐用寿命を長くし、コスト効率の高い操作を可能にする。
【００１２】
また、本発明では、第一の数の火格子ブロックは第二の数の火格子ブロックから独立して移動できるため、さまざまな種類の操作が可能になる。従って、ごみの種類に応じて、火格子エレメントの移動パターンを様々に調整することができる。尚、対応する火格子キャリッジに関して横方向に個々の火格子ブロックを区別することは、５又は７つの火格子ブロックのグループの場合に効果的となる。しかしながら、本発明では、より多くの数又はより少ない数のブロック、さらには偶数個のブロックを区別させることは可能である。
【００１３】
また、本発明では、焼却されるごみの表面領域は、最適なように流されることで増大する。このため、焼却プロセスをより素早く、かつ十分に行うことが可能になる。
【００１４】
従って、本発明に関する火格子エレメントはコスト効率が高く、経済的な観点からみて非常に効果的である。
【００１５】
好ましくは、第一火格子キャリッジと第二火格子キャリッジに相互作用するガイドエレメントを備えるようにガイド構成を設ける。このガイドエレメントは、二つの火格子キャリッジがこれらのトラック上を移動し、互いに離れ離れにならないように保つように作用する。このようなガイドエレメントは、例えば、ガイド用の溝とガイド用の突出部から構成することができるが、他、当該分野における通常の知識を有する者には公知のさらなる構成を採用してもよい。
【００１６】
本発明に係る好適な実施形態では、第一火格子キャリッジと第二火格子キャリッジは互いに独立なように駆動装置を有する。しかしながら、第一火格子キャリッジと第二火格子キャリッジは機械的に連結されて、向い合わせに駆動装置を有していてもよい。好ましくは、駆動装置は油圧式、空圧式又は電動式である。特に好ましくは、シリンダ／ピストンのサブアセンブリを利用する。独立した駆動装置を用いる場合には、二つの火格子キャリッジを個々に制御することが可能になる。また、第一火格子キャリッジに二つの駆動装置を備え、第二火格子キャリッジに一つの駆動装置を備えるようにしてもよい。あるいは、第一火格子キャリッジ（主要な火格子キャリッジ）により小さな駆動装置を備えて、操作中、直接、素早いやりとりを可能にしてもよい。又は、第一及び第二火格子キャリッジ上で側方及び中央に駆動装置を備えることにより、火格子エレメントに及ぼされる力が均一に分散されるようにしてもよい。
【００１７】
本発明に係る好適な実施形態では、第一火格子キャリッジと第二火格子キャリッジは逆の周期で移動する。このことは、第一火格子キャリッジが前方に移動するとき、第二火格子キャリッジが後方に移動することを意味する。本発明に係るさらなる好適な実施形態では、第一火格子キャリッジと第二火格子キャリッジは同期して移動するが、このことは、第一火格子キャリッジと第二火格子キャリッジが様々な移動状態で同時に移動することを意味する。
【００１８】
好ましくは、火格子ブロックの同じ列の中で、１から７つ、特に好ましくは３から５つの火格子ブロックを直接連続して配置して、これらが火格子ブロックのグループを構成して、同じ方向に移動させる、即ち、これらを同じ火格子キャリッジに割り当てるようにする。この場合、最適な混合効果を得ることができる。
【００１９】
また、本発明に係る火格子エレメントでは、火格子ブロックの一つの固設型の列が、各々、火格子ブロックの移動型の列に搬送方向に続くようにする。しかしながら、火格子ブロックの複数の移動型の列を互いに直接続くようにすることは可能である。このような構成は、非常に集中して混合させることが必要な場合に特に好ましい。
【００２０】
さらに、好ましくは、ごみ焼却プラントの火格子に本発明に係る火格子エレメントを少なくとも一つ備える。さらに好ましい例では、全ての火格子エレメントを本発明に係る火格子エレメントのように構成する。
【発明を実施するための最良の形態】
【００２１】
以下、本発明に係る好適な実施形態について、添付した図を参照して説明する。尚、同じ部品には、同じ参照番号が付けられている。
図１を参照すると、第一火格子キャリッジ５が示されている。この火格子キャリッジは中空状の輪郭を形成するように二つの平行な第一縦長部材９と第一クロスメンバ１１を備えており、下方に向って開口する略Ｕ字形状の輪郭を形成するように第一クロスメンバ１１を直角の角度で取付けている。クロスメンバ１１は、火格子ブロックの移動型の列のうち第一の数の火格子ブロック用に、ブロック−ホールディング−チューブ部とともにブラケットを支えるように設けられている。好ましくは、第一クロスメンバ１１は互いに等間隔で配置されている。また、第一火格子キャリッジ５は、ローラ１５を介して、レールエレメント１９の走行面１７上を前後に移動する。シリンダ２７の端部位置は、同時に後方のストップと前方のストップを構成し、火格子キャリッジ５の端部位置を定める。第一火格子キャリッジは、シリンダ／ピストンのサブアセンブリ２５を用いて駆動される。ピストン２９は、シリンダ２７内に設けられる。第一縦長部材９は、結合部３３を介して、ピストンロッド３１と接続されており、このピストンロッド３１は、ピストン２９と接続されている。図示した実施形態では、二つのガイドエレメントは、夫々ガイド用の溝部２３として構成されて、二つの第一縦長部材９の二つの内壁上に設けられている。これらガイド用の溝部２３は、第二火格子キャリッジの４つのガイド用の突出部（ノーズ部）と相互作用するように設けられている。この第一火格子キャリッジ５は、移動型の第一の数の火格子ブロックを移動させるために設けられている。
【００２２】
図２を参照すると、搬送方向に走行し、略Ｌ字形状の輪郭を形成するように、第二縦長部材３７を二つ平行に設けた第二火格子キャリッジ３５が示されている。第二縦長部材３７の間には下方に向って開口する略Ｕ字形状の輪郭を形成するように二つのクロスメンバ３９が設けられており、これらは火格子ブロックの移動型の列のうち第二の数の火格子ブロック用に、ブロック−ホールディング−チューブ部とともにブラケットを支えるように設けられている。好ましくは、第二クロスメンバ３９は互いに等間隔で配置されている。さらに、第二火格子キャリッジ３５は二つのガイドエレメントを備えるが、図示した実施形態では、これら各々はガイド用の突出部４１として構成されて、第二縦長部材３７の外面上に設けられ、これらガイドエレメントが第一火格子キャリッジ５の４つのガイド用の溝部２３と相互作用するようにしている。第二火格子キャリッジ３５は、第二シリンダ／ピストンのサブアセンブリ４３を用いて駆動される。シリンダ２７は、ピストンロッド３１を介して、長方形状の中空の輪郭を形成するように、第三縦長部材４５と接続されており、またこの第三縦長部材４５は第二クロスメンバ３９と接続されている。このクロスメンバは略Ｕ字形状の溝部４７を有し、この中に第三縦長部材４５を取付けている。
【００２３】
図３を参照すると、上記第一火格子キャリッジ５と第二火格子キャリッジ３５が示されている。同図では、第一火格子キャリッジ５の４つのガイド用の溝部２３は第二火格子キャリッジ３５のガイド用の突出部４１と相互作用している。また、第一クロスメンバ１１は、第二火格子キャリッジ３５の第二クロスメンバ３９と交互に配置されている。しかしながら、同じ火格子キャリッジの複数のクロスメンバを直接連続して配置させることは可能である。また、第一火格子キャリッジ５の第一シリンダ／ピストンのサブアセンブリ２５は、第二シリンダ／ピストンのサブアセンブリ４３から独立している。
【００２４】
図４を参照すると、第一火格子キャリッジ５と第二火格子キャリッジ３５が下方から示されている。第一火格子キャリッジ５の二つの第一縦長部材９は、下側に、ローラ１５用のカットアウト４９を設けている。レールエレメント１９は、火格子トラフ上で第一火格子キャリッジ５を支持させる。さらに、くさび形状のレールエレメント１９の上側は、ローラ１５用の走行面１７として作用する。第一シリンダ／ピストンのサブアセンブリ２５のピストンロッド３１は、縦長部材９の下側に取付けられる結合部３３を介して、第一縦長部材９と接続される。第二シリンダ／ピストンのサブアセンブリ４３のピストンロッド３１は、結合部３３を介して、第二火格子キャリッジ３５の第三縦長部材４５と接続される。ガイド用の溝部２３はガイド用の突出部４１と相互作用し、第二火格子キャリッジ３５が予め定められたトラック上を移動することを保つようにする。
【００２５】
図５を参照すると、第一火格子キャリッジ５が示されている。第一クロスメンバ１１上には、第一の略Ｓ字形状のブラケット５１が設けられている。この第一の略Ｓ字形状のブラケット５１上には、第一ブロック−ホールディング−チューブ部５３が設けられている。これら二つの部位は、火格子ブロックの移動型の列のうち第一の数の火格子ブロックを支えるように設けられている。この場合、３から４つの火格子ブロックを各々第一ブロック−ホールディング−チューブ部５３に割り当てており、これら火格子ブロックがともに火格子ブロックのグループを構成するようにしている。この第一ブロック−ホールディング−チューブ部５３は、第一クロスメンバ１１の一部分にわたってだけ延びている。好ましくは、第一クロスメンバ１１上に３から４つの第一ブラケット５１を設ける。また、概略的に示すように、第一クロスメンバ上に設けた第一ブラケット５１の間に、固設型のブロック−ホールディング−チューブ部５７とともに固設型のブラケット５５を設ける。
【００２６】
図６を参照すると、第二火格子キャリッジ３５が示されている。第二クロスメンバ３９上には第二ブラケット５９が設けられている。第二の略Ｓ字形状のブラケット５９上には第二ブロック−ホールディング−チューブ部６１が設けられている。これらチューブ部は、火格子ブロックの移動型の列のうち第二の数の火格子ブロックを支えるように設けられている。第二ブラケット５９は、第一クロスメンバ１１上の第一ブラケット５１に対して鏡像関係状になるように第二クロスメンバ３９上に設けられている。また、第二ブロック−ホールディング−チューブ部６１は、第二クロスメンバ３９の一部分にわたってだけ延びている。好ましくは、第二クロスメンバ３９上にブロック−ホールディング−チューブ部６１とともに第二ブラケット５９を３から４つ設ける。また、概略的に示すように、第二クロスメンバ３９上に設けた第二ブラケット５９の間に、固設型のブロック−ホールディング−チューブ部５７とともに固設型のブラケット５５を設ける。
【００２７】
図７を参照すると、図５及び６に示した第一及び第二の火格子キャリッジ５、３５が組付けられた状態で示されている。これら火格子キャリッジ５、３５は端部位置にある、つまり第一火格子キャリッジ５のローラ１５は走行面１７の端部に設けられている。火格子ブロック６３の移動型の列のうち、第一ブロック−ホールディング−チューブ部５３を備えた第一ブラケット５１は第二ブロック−ホールディング−チューブ部６１を備えた第二ブラケット５９と交互に設けられている。搬送方向に並んで設けられた移動型の火格子ブロックのブラケット５１、５９’、５１’、５９’’は、第一又は第二火格子キャリッジ５、３５に対して交互に割り当てられている。しかしながら、搬送方向に並んで設けられた移動型の火格子ブロックのブラケットを一つの火格子キャリッジに割り当てることは可能である。
【００２８】
図８を参照すると、図７に示した実施形態が中心位置で示されており、つまり第一火格子キャリッジ５のローラ１５が走行面１７の中心に配置されるように示されている。図示した位置では、火格子ブロックの移動型の列６３のブロック−ホールディング−チューブ部５３、６１と、火格子ブロックの固設型の列６５のブロック−ホールディング−チューブ部５１の全ての軸は、一つの平面上に設けられている。
【００２９】
図９を参照すると、本発明の実施形態に係る火格子エレメント１がＷ位置で示されている。この場合、火格子ブロックの固設型の列６５は、火格子ブロックの移動型の列６３に対して交互に設けられている。火格子ブロックのグループ７０を形成する、３又は４つの火格子ブロック６７は各々、第一火格子キャリッジ５の第一ブロック−ホールディング−チューブ部５３上に設けられている。火格子ブロックの同じ列の火格子ブロックのグループは、第一及び第二の火格子キャリッジ５、３５に対して交互に割り当てられている。そして、第一火格子キャリッジと第二火格子キャリッジの前後移動によって、火格子ブロックのグループ７０ａは後方に移動するとともに、火格子ブロックのグループ７０ｂは前方に移動する。この結果、火格子ブロックのグループ７０ａの表面上に置かれたごみは、火格子ブロックの固設型の列の火格子ブロック６７ａによって火格子ブロックのグループ７０ａから押し続けられて、側方と、搬送方向に流されて、最適な流れが得られるようにする。火格子ブロックのグループ７０ｂは、反対に、前方に移動されて、火格子ブロックの固設型の列の表面上のごみを押し続ける。搬送方向に並んで配置された移動型の火格子ブロックのグループ７０ａ、７０ｂ’は、第一火格子キャリッジ又は第二火格子キャリッジに対して交互に割り当てられる。火格子ブロックのグループ７０ａ、７０ｂ’が前方に押される場合には、これらの間に設けられた火格子ブロックの固設型の列によって非常に急な傾斜が形成されるが、反対に、これらが後方に移動された場合には、火格子ブロックの同じグループによって緩やかな傾斜が形成される。このため、ごみは多かれ少なかれランダムに混合される。端部位置では、火格子ブロックの二つの移動型の列のうち火格子ブロックの後方グループ７０ｂ、７０ａ’、７０ｂ’’、７０ａ’’、７０ｂ’’’が略Ｗ字８０の形状になるため、所謂Ｗ位置が形成される。このような配置によって、焼却されるごみは最適に混合され、かき集められて、搬送される。
【００３０】
図１０を参照すると、図９に示した本発明の実施形態に係る火格子エレメントが他の端部位置で示されている。この場合、図９では後側に示されていた火格子ブロックの上記グループは前側にあり、また、前側に示されていたものは後側にある。
【００３１】
図１１を参照すると、本発明のさらなる実施形態に係る火格子がＸ位置で示されている。この場合、火格子ブロックの固設型の列６５は、火格子ブロックの移動型の列６３に対して交互に配置されている。火格子ブロックのグループ７０を形成する、３又は４つの火格子ブロック６７は各々、第一火格子キャリッジ５の第一ブロック−ホールディング−チューブ部５３上に配置されている。火格子ブロックの同じ列の火格子ブロックのグループ７０ａ、７０ａ’は、第一火格子キャリッジと第二火格子キャリッジに対して交互に割り当てられている。搬送方向に並んで配置されている移動型の火格子ブロックのうちの火格子ブロックは各々、第一火格子キャリッジ又は第二火格子キャリッジに対して割り当てられている。この結果、端部位置では、火格子ブロックの二つの移動型の列のうち火格子ブロックの正面側のグループ７０ａ、７０ａ’’’と７０ａ’、７０ａ’’が略Ｘ字８２の形状になるため、Ｘ位置が形成される。
【００３２】
図１２を参照すると、図１１に示した本発明の実施形態に係る火格子エレメント１が他の端部位置で示されている。この場合、図１１では後側に示されていた火格子ブロックの上記グループは前側にあり、また、前側に示されていたものは後側にある。
【００３３】
図１３を参照すると、本発明のさらなる実施形態に係る火格子エレメント１について、従来公知の操作を行った場合が示されている。この場合、火格子ブロックの固設型の列６５は、火格子ブロックの移動型の列６３に対して交互に配置されている。火格子ブロックのグループ７０を形成する、３又は４つの火格子ブロック６７は夫々、第一火格子キャリッジ５の第一のブロック−ホールディング−チューブ部５３上に配置されている。火格子ブロックの同じ列の火格子ブロックのグループは、第一火格子キャリッジと第二火格子キャリッジに対して交互に割り当てられている。第一火格子キャリッジと第二火格子キャリッジは、二つの火格子キャリッジの火格子ブロックが同時に同じ場所で同じ方向に移動するように移動する。このため、シリンダ／ピストンのサブアセンブリの調和する作用によって、各操作状態で対応する周囲の状態に応じて、所望なように、加減を加えることができるため、本発明の実施形態に係る火格子エレメント１は特に大きなフレキシビリティを有することができる。
【００３４】
図１４では、図１３に示した本発明の実施形態に係る火格子エレメントの他の端部位置について示している。
【図面の簡単な説明】
【００３５】
【図１】第一火格子キャリッジを例示的に示す図である。
【図２】第二火格子キャリッジを例示的に示す図である。
【図３】図１及び２に示した火格子キャリッジを合わせて示す図である。
【図４】図３に示した火格子キャリッジを下方から示す図である。
【図５】第一ブラケットと第一ブロック−ホールディング−チューブ部を備えた第一火格子キャリッジを示す図である。
【図６】第二ブラケットと第二ブロック−ホールディング−チューブ部を備えた第二火格子キャリッジを示す図である。
【図７】図５及び６に示した火格子キャリッジを端部位置で示す図である。
【図８】図５及び６に示した火格子キャリッジを中央位置で示す図である。
【図９】Ｗ形態の火格子エレメントを第一端部位置で示す図である。
【図１０】Ｗ形態の火格子エレメントを第二端部位置で示す図である。
【図１１】Ｘ形態の火格子エレメントを第一端部位置で示す図である。
【図１２】Ｘ形態の火格子エレメントを第二端部位置で示す図である。
【図１３】従来の火格子ブロックの方法で火格子エレメントを第一端部位置で示す図である。
【図１４】従来の火格子ブロックの方法で火格子エレメントを第二端部位置で示す図である。
【符号の説明】
【００３６】
１                  火格子エレメント
５                  第一火格子キャリッジ
２３、４１          ガイド用のエレメント
３５                第二火格子キャリッジ
６７                火格子ブロック
【図１】
2007524063.tif 000003
【図２】
2007524063.tif 000004
【図３】
2007524063.tif 000005
【図４】
2007524063.tif 000006
【図５】
2007524063.tif 000007
【図６】
2007524063.tif 000008
【図７】
2007524063.tif 000009
【図８】
2007524063.tif 000010
【図９】
2007524063.tif 000011
【図１０】
2007524063.tif 000012
【図１１】
2007524063.tif 000013
【図１２】
2007524063.tif 000014
【図１３】
2007524063.tif 000015
【図１４】
2007524063.tif 000016
【国際調査報告】
2007524063.tif 000017
2007524063.tif 000018
2007524063.tif 000019
2007524063.tif 000020